(57)【特許請求の範囲】
【請求項１】
中空で縦長の水栓柱本体と、この水栓柱本体内に固定状態で設けられた導入管と、この導入管に下部が接続される一方、上部に前記水栓柱本体の胴部分から突出した状態で接続される吐水具および止水を含む流量調整用のハンドルを有する水栓本体と、前記水栓柱本体の表面側に取り付けられ、ホースを巻き掛けるためのハンガーとを備え、更に、このハンガーのホース巻き掛け部を、ホースの折れ曲がりを防止するため中央が高くなるよう円弧状に湾曲させてあり、しかも前記水栓柱本体および前記水栓本体はそれぞれ筒状に形成されているとともに、両者は中心軸が一致した状態で配置される一方、前記水栓本体、ハンドル、吐水具および前記胴部分が前記中心軸まわりで回動自在に構成されていることを特徴とする水栓柱。
【請求項２】
前記ハンガーは、取り付け位置が変更可能なように前記水栓柱本体に取り付けられている請求項１に記載の水栓柱。
【発明の詳細な説明】
【０００１】
【発明の属する技術分野】
この発明は、屋外に設置される水栓柱に関するものである。
【０００２】
【従来の技術および発明が解決しようとする課題】
水栓柱は、例えば移動可能なコンクリートブロックに立設した状態で屋外に設置されるけれども、吐水具に接続した状態や吐水具から取り外した状態で使用後のホースを水栓柱の周囲に放置することがある。この場合、ホースは折れ曲がった状態で放置されることもある上に、水場が煩雑になる。また、ホースリールを使用すると使用後のホースの収納はできるが、そのまま水栓柱の周囲にホースリールが放置される場合もある。
【０００３】
この発明は、ホースを折り曲げることなく収納できる水栓柱を提供することを目的とする。
【０００４】
【課題を解決するための手段】
上記目的を達成するために、この発明の水栓柱は、中空で縦長の水栓柱本体と、この水栓柱本体内に固定状態で設けられた導入管と、この導入管に下部が接続される一方、上部に前記水栓柱本体の胴部分から突出した状態で接続される吐水具および止水を含む流量調整用のハンドルを有する水栓本体と、前記水栓柱本体の表面側に取り付けられ、ホースを巻き掛けるためのハンガーとを備え、更に、このハンガーのホース巻き掛け部を、ホースの折れ曲がりを防止するため中央が高くなるよう円弧状に湾曲させてあり、しかも前記水栓柱本体および前記水栓本体はそれぞれ筒状に形成されているとともに、両者は中心軸が一致した状態で配置される一方、前記水栓本体、ハンドル、吐水具および前記胴部分が前記中心軸まわりで回動自在に構成されていることを特徴としている。
【０００５】
【発明の実施の形態】
以下にこの発明の実施の形態について説明する。なお、この発明はそれによって限定されるものではない。
【０００６】
図１〜図４は、この発明の一実施形態を示す。
図１〜図４において、１は、屋外に設置される水栓柱で、筒状で縦長の水栓柱本体２を有する。この水栓柱本体２は、移動可能な円柱状のコンクリートブロック３に立設されている。水栓柱本体２は、上下に位置する胴部分２ｂ，２ｃと、中間に位置する胴部分２ａとより主としてなる。前記胴部分２ｃの縦の長さは、前記胴部分２ａ，２ｂに比して長い。そして、前記胴部分２ｃが前記コンクリートブロック３にはめ込まれている。
【０００７】
４は、筒状で縦長の水栓本体で、水栓柱本体２内の上部で、前記胴部分２ａに対応する位置に設けられている。５は、水栓柱本体２内の下部で、前記胴部分２ｃに対応する位置に固定状態で設けた導入管である。そして、前記水栓本体４と導入管５は水栓柱本体２と同軸に設けてある。すなわち、水栓柱本体２の中心軸６が水栓本体４と導入管５の中心軸に一致している。なお、導入管５は配管に接続されている。
【０００８】
前記水栓本体４の胴４ａは、前記水栓柱本体２の胴部分２ａから突出した状態で接続されるハンドル７および吐水具８を上部に有する。ハンドル７は止水を含む流量調整機能を有し、ハンドル７と吐水具８は、前記中心軸６のまわりに９０°の中心角を有して配置されている。そのため、ハンドル７の回動操作に連動して開閉する、水栓本体４の内部に設けた弁機構の吐水具８への連通流路を簡易にできる。
【０００９】
前記吐水具８は、散水栓９の給水ホース１０の上流端に設けた継手１１に着脱自在に接続される継手部８ａを有する。この継手部８ａは、胴４ａに固定状態で接続された筒状の継手部本体１２に対し、かつ、両矢印Ｘで示すように、継手部本体１２の中心軸１３まわりに３６０°回転可能に構成されている。前記継手部本体１２は、前記連通流路に連通する吐水流路を有する。
【００１０】
以下この発明の特徴的構成について説明する。
【００１１】
１５は、水栓柱本体２の表面側で前記吐水具８およびハンドル７よりも上方の位置に取り付けられたハンガーである。このハンガー１５は、前記給水ホース１０を巻き掛けるためのものである。
すなわち、前記ハンガー１５は、ホース巻き掛け部１６と取り付け部１７とよりなり、取り付け位置が変更可能なようにハンドル７および吐水具８が位置する水栓柱本体２の胴部分２ａより上側の胴部分２ｂの上端部Ａを介して水栓柱本体２に取り付けられるとともに、ホース巻き掛け部１６を前記給水ホース１０の折れ曲がりを防止するため中央が高くなるよう円弧状に湾曲させてある。
【００１２】
そして、前記ホース巻き掛け部１６は、薄板状に形成され、巻き掛けられる給水ホース１０がはみ出さないように設けた対向する一対の囲い板部分２０，２１と、両者２０，２１間に配置される給水ホース１０が巻き掛けられ続けていく底部分２２とよりなり、前記囲い板部分２０，２１と底板部分２２とで給水ホース１０の巻き掛け空間Ｓが形成されている。
【００１３】
更に、前記ホース巻き掛け部１６を正面からみて手前に位置する前記囲い板部分２０は、薄板状で、同心円の外円弧および内円弧によって形成された上端ａおよび下端ｂを有するとともに、前記上端ａと下端ｂの正面向かって左端ｃが径方向に沿って結ばれる一方、上端ａと下端ｂの正面向かって右端ｄが径方向に沿って結ばれてなる形状を有する。
【００１４】
一方、前記囲い板部分２１と囲い板部分２０の異なる点は、前記囲い板部分２１が、囲い板部分２１と前記取り付け部１７をつなぐ薄板状の繋ぎ板部分２４を囲い板部分２１の上端ａの中央に有する点だけである。
【００１５】
また、前記底板部分２２は、薄板状で、中央が高くなるよう前記囲い板部分２０，２１の下端ｂ，ｂ同士を結んでなり、円弧状に湾曲させた形状を有する。
【００１６】
更に、前記取り付け部１７は、平面視略Ｕ字型で、中央に八角形の嵌合穴２５を有する一方、水栓柱本体２の胴部分２ｂの前記上端部Ａは平坦面に形成され、前記嵌合穴２５に嵌合する八角部２６が中央に突出形成されている。この八角部２６は、中央にねじ穴２７を有する。
【００１７】
２８は、固定部材で、下面中央位置に前記ねじ穴２７に螺合するねじ２９を有し、嵌合穴２５を八角部２６にはめ込んだ後、ねじ２９で締付けることにより取り付け部１７を胴部分２ｂの前記上端部Ａ上に固定する。それによって、ハンガー１５は水栓柱本体２に取り付けられる。
【００１８】
この場合、嵌合穴２５を八角部２６にはめ込む位置を任意に変更することが可能であり、そのため、ハンガー１５の取り付け位置を胴部分２ｂのまわりに容易に変更できる利点を有する。
【００１９】
また、この実施形態では、両矢印Ｙで示すように、水栓本体４が前記中心軸６まわりに回動するよう前記導入管５に対して水栓本体４が回動自在に接続されている。そのため、前記水栓本体４、ハンドル７、吐水具８および前記胴部分２ａを前記Ｙ方向に回動できる。
【００２０】
【発明の効果】
以上説明したようにこの発明は、水栓柱本体の表面側にホースを巻き掛けるためのハンガーを取り付けたので、周囲にホースが放置されたり、別途ホースリールを設置する必要はなくなり、水場をスッキリした形にできる。
【００２１】
また、ハンガーのホース巻き掛け部を、中央が高くなるよう円弧状に湾曲させてあるので、ホースの折れ曲がりを防止できる。
【図面の簡単な説明】
【図１】    この発明の一実施形態の使用状態を示す全体斜視図である。
【図２】    上記実施形態におけるハンドル、吐水具の回動操作と吐水具の継手部の回動操作を示す構成説明図である。
【図３】    上記実施形態におけるハンガーの取り付け動作を示す要部分解斜視図である。
【図４】      上記実施形態におけるハンドル、吐水具の回動操作の詳細を示す構成説明図である。
【符号の説明】
２…水栓柱本体、２ａ…胴部分、４…水栓本体、５…導入管、７…ハンドル、８…吐水具、１０…ホース、１５…ハンガー、１６…ホース巻き掛け部。
【図１】
0004616525.tif 000002
【図２】
0004616525.tif 000003
【図３】
0004616525.tif 000004
【図４】
0004616525.tif 000005